(57)【要約】【課題】物流用ボックスの部品点数を削減し、かつ、組み立て時の作業性を向上する。【解決手段】床板を囲む側面部材から成るボックス本体を有し、上記側面部材が軸状の部材から成るフレームと、そのフレームに取り付けた面材とから成る物流用ボックスであって、面材１４はプラスチックの成形品から成り、上記面材をフレーム１３に取り付ける際にフレームに接近する部分に一体成形した取り付け片２０を有し、取り付け片は、面材から連続した一体構造の基端部１９と、基端部の先端に設けたヒンジ部２１と、ヒンジ部により折り曲げ可能に設けた先端部２２とから成り、上記取り付け片を軸状の部材に掛け回し、かつ、先端部を固定手段にて基端部又はその近傍に固定することによって、面材をフレームに取り付けた構成を有する。【選択図】          図２
2014227212.tif 000002
【特許請求の範囲】
【請求項１】
床板を囲む側面部材から成るボックス本体を有し、上記側面部材が軸状の部材から成るフレームと、そのフレームに取り付けた面材とから成る物流用ボックスであって、
面材はプラスチックの成形品から成り、上記面材をフレームに取り付ける際にフレームに接近する部分に一体成形した取り付け片を有し、
取り付け片は、面材から連続した一体構造の基端部と、基端部の先端に設けたヒンジ部と、ヒンジ部により折り曲げ可能に設けた先端部とから成り、
上記取り付け片を軸状の部材に掛け回し、かつ、先端部を固定手段にて基端部又はその近傍に固定することによって、面材をフレームに取り付けた構成を有する
物流用ボックス。
【請求項２】
面材はフレームとほぼ相似形、かつ、フレームよりも一回り小型の大きさを有し、上記フレームの内側に配置されるもので、その面材の辺部に取り付け片を複数箇所設け、
上記取り付け片の固定手段は、相互に嵌合する凸部と凹部とから成り、凸部と凹部のどちらか一方を取り付け片の先端部に設け、どちらか他方を取り付け片の基端部又はその近傍に設けた構成を有する
請求項１記載の物流用ボックス。
【発明の詳細な説明】
【技術分野】
【０００１】
本発明は、床板を囲む側面部材から成るボックス本体を有し、上記側面部材が軸状の部材から成るフレームと、そのフレームに取り付けた面材とから成る物流用ボックスに関するものである。
【背景技術】
【０００２】
物流業界では、取り扱う商品の種類に応じて、或いは、保管場所の規模や条件に応じて非常に多様な容器や台車類が運搬や保管等に使用される。例えば、カゴ車又はカゴ台車と呼ばれ、台車に檻のようなカゴ構造を設けたものは、台車構造を有するので移動も簡単であり、荷役や保管に幅広く用いられている。また、ロールボックス又はロールボックスパレットなどと呼ばれるものは、車輪を外枠の下端に設けたもので、空荷の状態で床板を跳ね上げ可能とするとともに、複数台を重ねておくネスティング状態を取ることができるというような利点を有している。
【０００３】
その他、パレット型のボックス構造を有するものもあり、この型のボックスについては車輪を有していないためフォークリフト等が運搬の際に用いられる。この種のボックスに属するものは、台車構造を有するものもそうでないものも、共に檻のようなカゴ構造を有しており、小さな物品を積むとそのままではカゴ目を通り抜けてしまう恐れがある。この種の先行技術には、例えば、特開２００７−３０２１７５号があり、荷支持台つまり床板を跳ね上げ、右側面を折り畳み平面Ｌ字形に折り畳めることが記載されている。
【０００４】
しかし、カゴ目を小さくし過ぎると製造上のカゴ構造のメリットが生かせず、コストも高くなる。それだけが理由ではないとしても、フレームの枠に面材とか面板などと称する部材を取り付けた物流用ボックスが使用されるようになった。本発明における面材は、そのような面材、面板に類するものを総称している。従来、こうした面材類を用いて側面部材を製造するときには、面板類を別部品の取り付け片を用いてフレームに一個一個取り付けており、作業性が良くないという問題があった。        
【０００５】
【特許文献１】特開２００７−３０２１７５号
【発明の開示】
【発明が解決しようとする課題】
【０００６】
本発明は前記の実情に鑑みてなされたもので、その課題は、上記面材を用いる物流用ボックスについて、部品点数を削減するとともに、組み立て時の作業性を向上することである。また、本発明の他の課題は、カゴ目の無い、コストを抑制可能な物流用ボックスを提供することである。
【課題を解決するための手段】
【０００７】
前記の課題を解決するため、本発明は、ボックス本体の床板を囲む側面部材を有し、上記側面部材が軸状の部材から成るフレームと、そのフレームに取り付けた面材とから成る物流用ボックスとして、面材はプラスチックの成形品から成り、上記面材をフレームに取り付ける際にフレームに接近する部分に一体成形した取り付け片を有し、取り付け片は、面材から連続した一体構造の基端部と、基端部の先端に設けたヒンジ部と、ヒンジ部により折り曲げ可能に設けた先端部とから成り、上記取り付け片を軸状の部材に掛け回し、かつ、先端部を固定手段にて基端部又はその近傍に固定することによって面材をフレームに取り付けるという手段を講じたものである。
【０００８】
本発明に係る物流用ボックスは、前述したロールボックス又はロールボックスパレットなどと呼ばれるもののほか、車輪を有していないパレット型のボックス構造を有するものなど、主として物流業界において、運搬や保管或いは展示用途等に使用されるものを対象とする。この物流用ボックスは、物品を積載する空間を形成するために、床板を囲む側面部材から成るボックス本体を有している必要があるが、床板の類はどのような構造、つまり跳ね上げ可能であってもなくても良い。なお、床板は荷台と呼ばれるものを含む。
【０００９】
その構成において、本発明では、面材がプラスチックを主要材料とする成形品から成るとともに、面材をフレームに取り付ける際にフレームに接近する部分に一体成形した取り付け片を有している。従って、取り付け片もまたプラスチック成形によって形成されている。取り付け片を設けるフレームに接近した部分は、面材の周縁部又は周辺部に近い板面の二通りに解釈することができるが、そのどちらも本発明に含まれる。
【００１０】
上記取り付け片は、面材から連続した一体構造の基端部と、基端部の先端に設けたヒンジ部と、ヒンジ部により折り曲げ可能に設けた先端部とから成る。従って、取り付け片は、基端部、ヒンジ部、先端部に分けられる部分を有しており、基端部にて面材につながり一体になっている。上記取り付け片が軸状の部材に掛け回され、かつ、先端部を固定手段にて基端部又はその近傍に固定することによって、面材がフレームに取り付けられる。
【００１１】
本発明において、面材はフレームとほぼ相似形、かつ、フレームよりも一回り小型の大きさを有し、上記フレームの内側に配置されるもので、その面材の辺部に取り付け片を複数箇所設け、上記取り付け片の固定手段は、相互に嵌合する凸部と凹部とから成り、凸部と凹部のどちらか一方を取り付け片の先端部に設け、どちらか他方を取り付け片の基端部又はその近傍に設けた構成は、好ましいものである。
【発明の効果】
【００１２】
本発明は以上のように、上記面材を用いる物流用ボックスについて、面材と一体成形した取り付け片を軸状の部材に掛け回し、固定手段にて固定することによって取り付けられるようにしたので、部品点数を削減し、かつ、組み立て時の作業性を向上することができるという効果を奏する。また、本発明によれば、使い易くコストを抑制することも可能な物流用ボックスを提供することができるという効果を奏する。
【発明を実施するための最良の形態】
【００１３】
以下、図示の実施形態を参照して、本発明をより詳細に説明する。図１は本発明に係る物流用ボックス１０の外観を示したもので、物流用ボックス１０は、ロールボックスなどと呼ばれるタイプのもので移動用の車輪１１を有しており、ボックス本体の床板１２を囲む４面を構成する、軸状の部材から成るフレーム１３と、そのフレーム１３に取り付けた面材１４とから成る側面部材（この場合には正面の側面部材）１５を有している。図示の例の場合、外枠と内枠が示されているが、そのどちらもフレーム１３として使用される。
【００１４】
図１に示す実施形態では、物流用ボックス１０は、そのフレーム１３が、正面を４分割する大きさ及び形状のものとして形成されている。従って、正面においては、上下左右別々に開閉可能であるように構成されている。各フレーム１３は左右各２箇所ずつ設けられた開閉ヒンジ１６によって、左右の側面部材のフレーム１７、１８に結合されている。左右の側面部材も背面部材も正面の側面部材と同様に組み立てられ、上記各々の側面部材の構造自体は正面における上記側面部材１５のそれと同様であるので、詳細な説明は省略する。
【００１５】
なお、正面について側面部材という表現は余りしないかも知れないが、ボックスの周囲の側面という意味では、正背左右の区別はむしろ便宜上であり、側面であることに変わりはないともいえる。左右の側面部材は分割されず、従って、そのフレーム１７、１８は物流用ボックス１０の床板１２から上端に達する長さを有している。上記面材１４はフレーム１３とほぼ相似形、かつ、フレーム１３よりも一回り小型の大きさを有し、上記フレーム１３の内側に配置される。面板１４の盤面は模様の無い平滑な面であっても良いが、図示の如く模様や図柄等何らかの表示１４ａを形成しても良い。また、その表示１４ａを宣伝・広告用に利用することも可能である。
【００１６】
面材１４はプラスチックの成形品から成るとともに、フレーム１３への取り付けのために、フレーム１３に接近した部分に面材１４と一体成形した取り付け片２０を有している（図２、図３参照）。取り付け片２０は、面材１４の上辺、つまり、辺部の左右両端部に各１箇所ずつ設けられており、図示の例では面材１４の下辺では左右両端部からやや内方に、各々の位置が重ならないようにずらせて、かつ、左右対称に１箇所ずつ設けている。このように位置をずらせたため、上下の面材同士を、同一フレーム１３に取り付け片２０を用いて取付けることも可能になる。
【００１７】
上記取り付け片２０は、面材１４から連続した一体構造の基端部１９と、基端部１９の先端に設けたヒンジ部２１と、ヒンジ部２１により折り曲げ可能に設けた先端部２２とから構成されている（図４Ａ、Ｂ参照）。上記基端部１９は面材１４と連続している平坦部１９ａと、軸状の部材であるフレーム１３と嵌合する半円部１９ｂとから成る断面形状を有している。また、平坦部１９ａには、後述する固定手段２３の他方２３ｂが形成される。  
【００１８】
ヒンジ部２１は、上記基端部１９と先端部２２を結合している、折り曲げが可能な部分である。上記先端部２２は基端部１９の平坦部１９ａと接触可能な平坦部２２ａと、軸状の部材であるフレーム１３と嵌合する半円部２２ｂとから成る断面形状を有しており、ヒンジ部２１は、それらの半円部１９ｂ、２２ｂを結合した部分である。上記ヒンジ部２１は半円部１９ｂ、２２ｂの全体に亘って設けられている（しかし、半円部１９ｂ、２２ｂの一部にのみ設けても良い。）。
【００１９】
前述の固定手段２３は、相互に嵌合する凸部と凹部とから成り、凸部と凹部のどちらか一方２３ａを取り付け片２９の先端部２２に設け、どちらか他方２３ｂを取り付け片２０の基端部１９に設けている。また、他方２３ｂは基端部１９の近傍の面材部分に設けることも可能である。上記固定手段２３は、取り付け片２０の各一箇所について複数個ずつ、図示の例では２個ずつ設けられている（図２参照）。
【００２０】
図示の実施形態における固定手段の一方２３ａは凸部であり、凸部は軸部とその先端に設けた爪状部分２３ｃを有している。これに対する固定手段の他方２３ｂは凹部であり、凹部は軸部を通す孔部２３ｄとその外側に設けた段状の係合相手部２３ｅを有しており、爪状部分２３ｃは係合相手部２３ｅと係合する。
【００２１】
図中、２４ａは係合孔、２４ｂは係合突起で、副固定部２４を構成する。係合突起２４ｂは、固定手段２３の他方２３ｂとほぼ同一線上の位置に係合相手部２３ｅとは逆向きに突設され、これらと対応する固定手段２３の一方２３ａの側に設けられている係合孔２４ａと比較的緊密に係合する。よって、副固定部２４は固定手段２３と交互に配置され、相互に係合して固定手段２３の固定機能を高める作用をする。
【００２２】
このような構成を有する本発明の物流用ボックス１０では、面材１４を取り付け片２０とともにプラスチック成形によって一体成形し、取り付け片２０を用いて成形品である面材１４をフレーム１３へ取り付け、側面部材１５を形成することができる。その際、面材１４は、取り付け片２０でフレーム１３を挟むように、基端部１９に対してヒンジ部２１で先端部２２を折り曲げるとともに軸状の部材に掛け回し（図４）、フレーム１３に取付けることができるので、取り付け部材やペグ等の止め具を用意する必要がなく、組み立ての作業性を向上することができる。
【００２３】
本発明では、射出成形によって面材１４を型成形し、これを、例えば金属パイプから成るフレーム１３に、面材１４の一部として型成形された取り付け片２０を用いて取付けることにより側面部材１５が形成される。フレーム１３として、図示の例では方形枠の内枠部分を示しているが、外枠即ち方形枠自体に面材１４を取り付けることも可能であり、具体的な実施形態は非常に多様である。
【図面の簡単な説明】
【００２４】
【図１】本発明に係る物流用ボックスの一例を示す正面説明図である。
【図２】同上における面材の一例を示す正面説明図である。
【図３】同じく面材を示すもので、Ａは取り付け片を開いた状態、Ｂは取り付け片を閉じた状態をそれぞれ示す側面説明図である。
【図４】同じく面材の取り付け片部分を拡大して示すもので、Ａは取り付け片を開いた状態、Ｂは取り付け片を閉じた状態の説明図である。
【符号の説明】
【００２５】
１０  物流用ボックス
１１  車輪
１２  床板
１３  フレーム
１４  面材
１５  側面部材
１６  開閉ヒンジ
１７、１８  側面部材のフレーム
１９  基端部
２０  取り付け片
２１  ヒンジ部
２２  先端部
２３  固定手段
２４  副固定部
【図１】
2014227212.tif 000003
【図２】
2014227212.tif 000004
【図３】
2014227212.tif 000005
【図４】
2014227212.tif 000006